(57)【要約】      （修正有）【課題】本発明は、清潔度を向上させることができる冷温水器を提供する。【解決手段】本発明は、外観を形成するキャビネットと、前記キャビネットの上部に設けられ、冷水が貯蔵される冷水タンク５０と、前記キャビネットの上部に設けられ、温水が貯蔵される温水タンク３０と、前記キャビネットの下部に設けられ、引入または引出が可能な引出部と、前記引出部に係着される水桶８０と、を含むことを特徴とする。【選択図】図２
2017165484.tif 000002
【特許請求の範囲】
【請求項１】
外観を形成するキャビネットと、
前記キャビネットの上部に設けられ、冷水が貯蔵される冷水タンクと、
前記キャビネットの上部に設けられ、温水が貯蔵される温水タンクと、
前記キャビネットの下部に設けられ、引入または引出が可能な引出部と、
前記引出部に係着される水桶と、
前記水桶に収容された水を前記冷水タンクまたは前記温水タンクに上昇させる圧力を提供する第１ポンプと、
前記引出部に設けられ、前記水桶から水が排出される流路を形成する第１連結管と、
前記第１連結管から水が前記温水タンクまたは前記冷水タンクに供給される流路を形成する第２連結管と、
前記第２連結管に水が移動する流路を形成する第３連結管と、
前記第１連結管、前記第２連結管及び前記第３連結管を連結して、選択的に二つの連結管による流路を形成する第１三方弁と、を含み、
前記第２連結管と前記第３連結管は、
それぞれ前記第１三方弁に連結される第１パイプと、
前記第１パイプに連結される第２パイプと、
前記第２パイプに連結される第３パイプと、
前記第１パイプと前記第２パイプを回転可能に結合して、前記第２パイプと前記第３パイプを回転可能に結合するコネクターを具備し、
前記第１パイプ、前記第２パイプ及び前記第３パイプはステンレス材質からなることを特徴とする冷温水器。
【請求項２】
前記第２連結管の前記第３パイプと前記第３連結管の前記第３パイプは、前記キャビネットに固定されるように設置された連結管に連結され、
前記第３パイプと前記連結管は前記コネクターによって回転可能に結合されることを特徴とする請求項１に記載の冷温水器。
【請求項３】
前記コネクターは、
中空が形成されたハウジングと、
前記中空に固定され、それぞれのパイプが係着されるパッキンと、
前記ハウジングの両端に結合されるキャップと、
前記キャップの内側に固定されるコレットと、を含むことを特徴とする請求項２に記載の冷温水器。
【請求項４】
前記パッキンは、
外側面に陷沒形成された陷沒片と、
内側面に突出形成された突出片と、を含むことを特徴とする請求項３に記載の冷温水器。
【請求項５】
前記陷沒片と前記突出片は、中心が垂直方向に対して互いに重畳されるように配置されることを特徴とする請求項４に記載の冷温水器。
【請求項６】
前記コレットは、
前記パイプで内側に形成された係着溝に係着される胴体部と、
前記胴体部で互いに割れるように延長された延長部と、
前記延長部の一端から放射方向に突出し、前記キャップに係合する突出部を含むことを特徴とする請求項３に記載の冷温水器。
【請求項７】
前記第２連結管と前記第３連結管は、
前記引出部は、
前記キャビネットに引入された場合、前記コネクターを中心に折り畳まれ、
前記キャビネットから引出された場合、開かれることを特徴とする請求項１に記載の冷温水器。
【請求項８】
前記水桶から水が前記冷水タンクまたは前記温水タンクに供給される場合、
前記第１三方弁は前記第１連結管と前記第２連結管を連結し、前記第１ポンプが駆動されることを特徴とする請求項１に記載の冷温水器。
【請求項９】
前記第２連結管と前記冷水タンクまたは前記温水タンクに連結される流路を選択的に連結する第２三方弁をさらに含む請求項１に記載の冷温水器。
【請求項１０】
前記温水タンクと前記第２三方弁が連結される流路には前記温水タンクから前記第２三方弁に温水を移動させる第２ポンプが設けられることを特徴とする請求項９に記載の冷温水器。
【請求項１１】
前記第３連結管と前記冷水バルブまたは前記常温水バルブに連結される流路を選択的に連結する第３三方弁をさらに含む請求項１０に記載の冷温水器。
【請求項１２】
前記第２連結管と前記第３連結管に殺菌が実行された場合、
前記第２ポンプが駆動され、
前記第１三方弁は前記第２連結管と前記第３連結管を連結し、
前記第２三方弁は前記第２ポンプと前記第２連結管を連結し、
前記第３三方弁は前記第３連結管と前記常温水バルブを連結することを特徴とする請求項１１に記載の冷温水器。
【請求項１３】
前記常温水バルブは前記冷水タンクの内部上側に連結され、
前記冷水バルブは前記冷水タンクの内部下側に連結されることを特徴とする請求項１２に記載の冷温水器。
【発明の詳細な説明】
【技術分野】
【０００１】
本発明は、冷温水器に関するものであり、より詳細には、清潔度を向上させることができる冷温水器に関するものである。
【背景技術】
【０００２】
昨今、急激な産業発達によって環境汚染がひどくなってきており、その中でも水質汚染は深刻な水準に到逹して家庭や官公署など大多数の所では水を浄水処理して飲み水として飲用しているのが実情である。
【０００３】
冷温水器は広い意味では水を加熱するか、または冷却させて冷水及び温水で供給する装置を意味し、外部の給水源から供給された水を浄水して提供するか、または生水桶に貯蔵された水を供給する装置を含むことができる。
【０００４】
このような冷温水器は冷水及び温水をそれぞれ分離して貯蔵できるように冷水タンク及び温水タンクがそれぞれ別に具備され、冷水タンクには水を冷却させるための冷却装置が具備されて温水タンクには水を加熱させるための加熱装置が具備される。冷水タンクと温水タンクは別途の連結管を通じて相互連結されて冷水タンク内部空間に供給された水は連結管を通じて温水タンクに供給される。
【０００５】
このような冷温水器に対して、清潔度を向上させようとする研究が進行されている。
【発明の概要】
【発明が解決しようとする課題】
【０００６】
本発明は、前記のような問題点を解決するためのものであり、本発明は清潔度が向上された冷温水器を提供するものである。
【０００７】
また、本発明は温水タンクの温水によって殺菌される部分を増加することができる冷温水器を提供するものである。
【０００８】
また、本発明は引出部を利用して水桶を積置する時に使用者便宜性が向上され、ステンレスパイプを利用して清潔度を向上させることができる冷温水器を提供するものである。
【課題を解決するための手段】
【０００９】
前記目的を達成するために、本発明は外管を形成するキャビネットと、前記キャビネットの上部に設けられ、冷水が貯蔵される冷水タンクと、前記キャビネットの上部に設けられ、温水が貯蔵される温水タンクと、前記キャビネットの下部に設けられ、引入または引出が可能な引出部と、前記引出部に係着される水桶と、前記水桶に収容された水を前記冷水タンクまたは前記温水タンクに上昇させる圧力を提供する第１ポンプと、前記引出部に設けられ、前記水桶から水が排出される流路を形成する第１連結管と、前記第１連結管から水が前記温水タンクまたは前記冷水タンクに供給される流路を形成する第２連結管と、前記第２連結管に水が移動する流路を形成する第３連結管と、及び前記第１連結管、前記第２連結管及び前記第３連結管を連結して、選択的に二つの連結管による流路を形成する第１三方弁と、を含み、前記第２連結管と前記第３連結管は、それぞれ前記第１三方弁に連結される第１パイプと、前記第１パイプに連結される第２パイプと、前記第２パイプに連結される第３パイプと、前記第１パイプと前記第２パイプを回転可能に結合して、前記第２パイプと前記第３パイプを回転可能に結合するコネクターを具備し、前記第１パイプ、前記第２パイプ及び前記第３パイプはステンレス材質からなることを特徴とする冷温水器を提供する。
【発明の効果】
【００１０】
本発明によれば温水タンクの温水によって殺菌されることができる部分が増加されて、冷温水器の配管の清潔度を向上させることができる。
【００１１】
また、本発明は水桶を入れ替える時には引出部を引出して、水桶を入れ替えた後には引出部をキャビネットに引入させることが可能であり使用者の利便性を向上させることができる。
【００１２】
また、水桶と連結された管の材質としてステンレスパイプを利用することで清潔度を向上さえることができ、温水を利用して殺菌を実行することができる。
【図面の簡単な説明】
【００１３】
【図１】本発明の斜視図である。
【図２】図１でキャビネットが除去された状態を示した正面図である。
【図３】図２の背面図である。
【図４】本発明で管の連結状態を示した図面である。
【図５】本発明の腰部を示した図面である。
【図６】コネクターの断面図である。
【図７】コネクターに設置される構成要素を示した図面である。
【図８】引出部が引出または引入される状態を示した図面である。
【発明を実施するための形態】
【００１４】
以下、前記の目的を具体的に実現することができる本発明の望ましい実施例を添付した図面を参照して説明する。
【００１５】
この過程で図面に示された構成要素の大きさや形状などは説明の明瞭性と便宜上、誇張されるように示され得る。また、本発明の構成及び作用を考慮して特別に定義された用語らは使用者、運用者の意図または慣例によって変わることがある。このような用語に対する定義は本明細書の全般にわたった内容を基礎に判断されなければならない。
【００１６】
図１は、本発明の斜視図である。
【００１７】
図１を参照すれば、冷温水器は外観を形成するキャビネット１０を具備し、前記キャビネット１０には使用者が押すことができるレバー６が設置される。使用者は前記レバー６を押して前記コーク４を通じて水を出水することができる。
【００１８】
この時、前記コーク４には別途のボタン２が設置され、使用者が前記レバー６を押して、前記ボタン２を押した場合に限って使用者に水が出水されるようにすることができる。例えば、前記コーク４に温水が提供される場合に、温水は使用者に火傷を負わせることが可能な温度を有するため、幼い子供が不注意に前記レバー６を押してボタン２を押さない場合に温水が吐出されるのを防止することができる。
【００１９】
前記キャビネット１０の上側には前記コーク４を通じて排出される水の種類を選択することができる操作部２０が具備される。使用者は前記操作部２０を通じて前記コーク４を通じて、温水、冷水、常温水中に何れか一つが排出されるように選択することが可能である。また、前記操作部２０には冷温水器の殺菌を行うことができるボタンが設けられる。使用者は前記ボタンを押して所望の時期に冷温水器の内部殺菌を実行することができる。この時、殺菌は温水タンクに収容された温水を利用することが可能である。
【００２０】
前記キャビネット１０の上側には冷温水器に関連される情報を提供することができる表示部２２が設けられる。前記表示部２２は冷温水器に関する情報を使用者に表示することができ、具体的には前記コーク４を通じて排出される水の種類を表示することが可能である。例えば、表示部２２で温水が活性化されていれば、前記コーク４を通じて温水が出水されることを表示することができる。また、前記表示部２２は冷温水器に対する殺菌が実行されるかに対する情報を使用者に提供することができる。
【００２１】
一方、前記コーク４の下部には使用者が水を過度に取り出して容器からあふれたりした水を収容可能なトレー８が設けられる。前記トレー８は内側に所定の大きさの収容空間を具備し、水が一時的に収容されるように配置される。もちろん前記トレー８には別途のドレンパイプが設置されて、前記トレー８に収容された水が前記キャビネット１０の外部にドレン排出されるように構成することも可能である。
【００２２】
前記キャビネット１０の下部にはカバー１２が設けられ、使用者は前記カバー１２を開放して前記キャビネット１０内部に設けられた引出部を引き出すことができる。使用者は引出部を前記キャビネット１０の内部に引入させた後に前記カバー１２を閉めて、前記キャビネット１０の内部が外部から密閉されるようにすることができる。
【００２３】
図２は、図１でキャビネットが除去された状態を示した正面図であり、図３は図２の背面図であり、図４は本発明で管の連結状態を示した図面であり、図５は本発明の腰部を示した図面である。また、図２、３、５では引出部が除去された状態の図面であり、水が入っている水桶８０は引出部の上側に据え置きされる。
【００２４】
以下、図２乃至図５を参照して説明する。
【００２５】
前記キャビネット１０の内部には、前記キャビネット１０の上部に設けられて冷水が貯蔵される冷水タンク５０、前記キャビネット１０の上部に設けられて、温水が貯蔵される温水タンク３０が設けられる。
【００２６】
前記温水タンク３０と前記冷水タンク５０の下部には水が収容される水桶８０が配置される。使用者は前記水桶８０を入れ替えることができる。
【００２７】
本発明は、前記水桶８０に収容された水を前記冷水タンク５０または前記温水タンク３０に上昇させる圧力を提供する第１ポンプ１１０を含む。前記水桶８０は前記冷水タンク５０と前記温水タンク３０の下側に配置されるため、前記水桶８０の水を移動させるために前記第１ポンプ１１０が具備される。
【００２８】
本発明は、引出部９０に設けられ前記水桶８０から水が排出される流路を形成する第１連結管３００、前記第１連結管３００から水が前記温水タンク３０または前記冷水タンク５０に供給される流路を形成する第２連結管３４０、前記第２連結管３４０に水が移動する流路を形成する第３連結管３６０を含む。
【００２９】
本発明は、前記第１連結管３００、前記第２連結管３４０及び前記第３連結管３６０を連結して、選択的に二つの連結管による流路を形成する第１三方弁２１０を具備する。前記第１三方弁２１０は前記第１連結管３００と前記第２連結管３４０を連結することができ、前記第２連結管３４０と前記第３連結管３６０を連結することができる。前記第１三方弁２１０の連結流路によって水の移動方向が変わるようになる。
【００３０】
前記第２連結管３４０と前記第３連結管３６０は、それぞれ前記第１三方弁２１０に連結される第１パイプ３４２、３６２と、前記第１パイプ３４２、３６２に連結される第２パイプ３４４、３６４と、前記第２パイプ３４４、３６４に連結される第３パイプ３４８、３６８を含む。前記第２連結管３４０と前記第３連結管３５６は、お互いに区分された３個のパイプで構成される。
【００３１】
前記第１パイプ３４２、３６２と前記第２パイプ３４４、３６４を回転可能に結合し、前記第２パイプ３４４、３６４と前記第３パイプ３４８、３６８を回転可能に結合するコネクター４００が設けられ、前記第１パイプ、前記第２パイプ前記第３パイプは前記コネクター４００を中心に折り畳まれるか、または開かれながら回転することができる。
【００３２】
一方、前記第１パイプ３４２、３６２、前記第２パイプ３４４、３６４及び前記第３パイプ３４８、３６８はステンレス材質からなり、プラスチックなどの材質を利用した管に比べて衛生性を向上させることができる。
【００３３】
前記第２連結管３４０の前記第３パイプ３４８と前記第３連結管３６０の前記第３パイプ３６８は前記キャビネット１０に固定されるように設置された連結管３７０に連結されて、前記第３パイプ３４８、３６８と前記連結管３７０は前記コネクター４００によって回転可能に結合される。
【００３４】
すなわち、前記第２連結管３４０と前記第３連結管３６０は、中間に複数個のコネクター４００によって折り畳まれるか、または開かれることが可能であり、一端に前記コネクター４００によって外部に連結される。
【００３５】
本発明は、前記第２連結管３４０と前記冷水タンク２２０または前記温水タンク３０に連結される流路２２２、２２４を選択的に連結する第２三方弁２２０をさらに含む。前記第２三方弁２２０は前記第２連結管３４０と前記冷水タンク２２０を連結する流路２２４に水が移動するようにするか、または前記第２連結管３４０と前記温水タンク３０を連結する流路２２２に水が移動するように流路を選択的に変更することができる。前記第２連結管３４０と前記第２三方弁２２０との間には連結管３７０が設けられ、その間を連結して水を移動させることができる。
【００３６】
前記温水タンク３０と前記第２三方弁２２０が連結される流路２２２には前記温水タンク３０から前記第２三方弁２２０に温水を移動させる第２ポンプ１２０が設けられる。前記第２ポンプ１２０は前記温水タンク３０から前記第２三方弁２２０に向けて温水を移動させて、前記第１ポンプ１１０が駆動される時とは前記流路２２２で水の流れを反対方向することができる。
【００３７】
本発明は、前記第３連結管３６０と前記冷水バルブ５２または前記常温水バルブ５４で連結される流路２３２、２３４を選択的に連結する第３三方弁２３０をさらに含むことができる。本発明では前記冷水バルブ５２で流路を開放すれば、前記コーク４を通じて冷水を排出することができ、前記常温水バルブ５４で流路を開放すれば、前記コーク４を通じて常温水を排出することができる。また、温水バルブ３２が流路を開放すれば、前記コーク４を通じて温水を排出することができる。
【００３８】
前記常温水バルブ５４は前記冷水タンク５０の内部上側に連結され、前記冷水バルブ５２は前記冷水タンク５０の内部下側に連結され、一つの冷水タンク５０を利用して常温水と冷水を供給することができる。通常、冷水タンクの下側は相対的に温度が低く、上側は相対的に温度が高いためである。
【００３９】
前記第３三方弁２３０は、前記第３連結管３６０と前記冷水バルブ５２を連結する流路２３２を開放するか、または前記第３連結管３６０と前記常温水バルブ５４を連結する流路２３４を選択的に開放することができる。前記第３連結管３６０と前記第３三方弁２３０との間には連結管３７０が設けられ、その間を連結して水を移動させることができる。
【００４０】
前記連結管３７０は前記キャビネット１０に固定されて、前記引出部９０が前記キャビネット１０に引入されるか、または前記キャビネット１０から引出されても移動しない。
【００４１】
前記水桶８０で水が前記冷水タンク５０または前記温水タンク３０に供給される時には、前記第１三方弁２１０は前記第１連結管３００と前記第２連結管３４０を連結して、前記第１ポンプ１１０が駆動される。
【００４２】
図５に示されたように、前記第２連結管３４０と前記第３連結管３６０には複数個のコネクター４００が互いに対称となる部分に設置されて、水が移動する流路を構成することができる。
【００４３】
図６はコネクターの断面図であり、図７はコネクターに設置される構成要素を示した図面である。
【００４４】
以下、図６及び図７を参照して説明すれば、前記コネクター４００の一端には前記第２連結管３４０、前記第３連結管３６０または連結管３７０が結合され、他の一端には前記第２連結管３４０または前記第３連結管３６０が結合される。
【００４５】
前記コネクター４００は、中空４１４が形成されたハウジング４１０と、前記中空４１４に固定されて、それぞれのパイプが係着されるパッキン４３０と、前記ハウジング４１０の両端に結合されるキャップ４５０と、前記キャップ４５０の内側に固定されるコレット４７０を含む。
【００４６】
前記中空４１４を通じて前記コネクター４００の両端に連結されたパイプを流れる水は一つのパイプから他のパイプに移動する。
【００４７】
前記パッキン４３０は外周面で陷沒形成された陷沒片４３２と、内周面で突出形成された突出片４３４を含み、前記陷沒片４３２と前記突出片４３４は中心が垂直方向に対して互いに重畳されるように配置される。
【００４８】
前記陷沒片４３２は前記パッキンの外周面が前記コネクター４００の中空４１４に接触する面積を減らして前記パッキン４３０が回転される時に発生される前記パッキン４３０と前記コネクター４００の摩擦を減らすことができる。
【００４９】
前記突出片４３４はパイプと前記パッキンの内周面が接触する面積を減らして、パイプが回転される時に前記パッキン４３０とパイプの摩擦を減らすことができる。
【００５０】
したがって、前記コネクター４００に前記パッキン４３０の摩擦による消耗程度が小さくて、前記パッキン４３０を長い間に使用することができる。
【００５１】
前記キャップ４５０は前記コネクター４００の前記ハウジング４１０の両端の露出された部分をカバーして、前記コレット４７０が結合可能な形状を提供する。
【００５２】
前記コレット４７０は、前記パイプで外側に係着される胴体部４７２と、前記胴体部４７２で互いに割れるように延長された延長部４７４と、前記延長部４７４の一端から放射方向に突出して、前記キャップ４５０に係合する突出部４７６を含むことができる。
【００５３】
前記延長部４７４は前記コレット４７０が前記キャップ４５０を一時的に通過する時には互いに接するように移動し、前記コレット４７０が前記キャップ４５０に完全に結合された場合には、元来の位置に互いに離れるように移動して結合力を確保することができる。
【００５４】
図８は、引出部が引出または引入される状態を示した図面である。
【００５５】
図８ａは引出部９０が前記キャビネット１０の内側に引入される状態であり、図８ｂは前記引出部９０が前記キャビネット１０の外部に引出された状態である。
【００５６】
図８ａの動作が実行された場合、前記第２連結管３４０と前記第３連結管３６０に設けられたコネクター４００によってパイプが折り畳まれる。逆に、図８ｂの動作が実行された場合、前記第２連結管３４０と前記第３連結管３６０に設けられたコネクター４００によってパイプが開かれる。
【００５７】
前記第２連結管３４０と前記第３連結管３６０はすべてステンレス材質からなるため、前記コネクター４００がなければ前記引出部９０を移動することができない。すなわち、前記コネクター４００を利用するためにステンレス材質のパイプであるにも関わらず前記水桶８０が係着された前記引出部９０が移動可能な構造である。
【００５８】
使用者は前記水桶８０に水が不足し、前記水桶８０を交換する必要がある場合、前記引出部９０を引出した後、前記水桶８０を入れ替えることができる。そして、前記カバー１２を閉めて冷温水器の美観を害しないようにすることもできる。
【００５９】
また、前記第２連結管３４０と前記第３連結管３６０は、ステンレス材質からなるため、前記温水タンク３０に収容された温水を利用して前記第２連結管３４０と前記第３連結管３６０を殺菌することができる。仮に、ステンレス材質ではないプラスチック材質の場合、温水によって殺菌をする場合に変形する可能性が高く、水垢などが多く付着して細菌らが繁殖してしまう可能性があるという短所がある。しかし、本発明では前記水桶８０で水が移動するパイプをステンレス材質で構成して、温水によって殺菌することができ、清潔度を向上させることができる。
【００６０】
以下、本発明で前記第２連結管と前記第３連結管が殺菌される過程を説明する。図４に矢印で表示された経路に沿って前記第２連結管３４０と前記第３連結管３６０に温水が移動して殺菌がなされる。
【００６１】
前記第２連結管３４０と前記第３連結管３６０について殺菌が実行された場合、前記第２ポンプ１２０が駆動されて、前記第１ポンプ１１０は駆動されない。したがって、前記温水タンク３０から前記第２ポンプ１２０に向けて温水が排出される。
【００６２】
前記第１三方弁２１０は前記第２連結管３４０と前記第３連結管３６０を連結して、前記第１連結管３００に移動する流路は遮断する。
【００６３】
前記第２三方弁は前記第２ポンプ１２０と前記第２連結管３６０を連結して、前記第３三方弁２３０は前記第３連結管３６０と前記常温水バルブ５４を連結する。
【００６４】
殺菌が実行される間には前記冷水バルブ５２、前記常温水バルブ５４、前記温水バルブ３２がすべて流路を遮断するため、前記コーク４に水は排出されない。
【００６５】
殺菌が実行されると前記温水タンク１２０に収容された温水は前記第２ポンプ１２０で発生された圧力によって流路２２２を通じて前記第２三方弁２２０に向けて移動する。前記第２三方弁２２０は前記冷水タンク５０に移動する流路２２４を遮断する。したがって、温水は前記第２三方弁２２０から連結管３７０に案内されて、前記第２連結管３４０に移動する。
【００６６】
そして、温水は前記第１三方弁２１０を通過して前記第３連結管３６０、連結管３７０、前記第３三方弁２３０を順番どおりに通過した後、前記常温水バルブ５４に連結される流路２３４に移動する。
【００６７】
そして、前記温水タンク３０に移動しながら温水が循環することができる流路を形成することができる。
【００６８】
本発明では上述した方式で前記温水タンク３０に収容された温水を移動させて前記水桶８０で水が移動する通路も殺菌することができる。
【００６９】
本発明は上述した実施例に限定されず、添付された請求の範囲で分かるように本発明が属した分野の通常の知識を持った者によって変形が可能で、このような変形は本発明の範囲に属する。
【符号の説明】
【００７０】
１０  キャビネット
３０  温水タンク
５０  冷水タンク
８０  水桶
１１０  第１ポンプ
１２０  第２ポンプ
２１０  第１三方弁
２２０  第２三方弁
２３０  第３三方弁
３００  第１連結管
３４０  第２連結管
３６０  第３連結管
【図１】
2017165484.tif 000003
【図２】
2017165484.tif 000004
【図３】
2017165484.tif 000005
【図４】
2017165484.tif 000006
【図５】
2017165484.tif 000007
【図６】
2017165484.tif 000008
【図７】
2017165484.tif 000009
【図８】
2017165484.tif 000010